(57)【要約】【課題】リモートモード選択中におけるリモートの画像出力装置の記憶装置の障害発生有無をユーザに対して確実に認知させることである。【解決手段】スキャナ２０７０とプリンタ２０９５とを備えて、該スキャナ２０７０から入力された画像データをプリンタ２０９５、または通信可能なリモート機２２０の記憶装置に転送して、リモート機２２０のプリンタ２２９５とプリンタ２０９５とで並列的に同一画像データを重連出力するリモートモードを選択可能なローカル機２００において、リモートモード選択中に、前記リモート機２２０より通知される記憶装置に対する障害発生状態を認識し、認知されるリモート機２２０の記憶装置に対する障害発生状態を操作部２０１２上に表示する構成を特徴とする。【選択図】　　　図１
2004056445.tif 000002
【特許請求の範囲】
【請求項１】
画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置であって、
前記リモートモード選択中に、リモートより通知される前記記憶装置に対する障害発生状態を認識する認識手段と、
前記認識手段により認知される前記リモートの画像出力装置の記憶装置に対する障害発生状態を表示する操作表示手段と、
を有することを特徴とする画像形成装置。
【請求項２】
前記操作表示手段により前記リモートの画像出力装置の記憶装置に対する障害発生状態を表示された場合に、前記認識手段により認識された障害の内容に応じて障害の復旧を前記リモートの画像出力装置に指示する障害復旧指示手段を有することを特徴とする請求項１記載の画像形成装置。
【請求項３】
前記操作表示手段により前記リモートの画像出力装置の記憶装置に対する障害発生状態を表示された場合に、前記認識手段により認識された障害が復旧不可能な場合に、前記画像入力装置と前記画像出力装置とで代替処理させる第１の代替処理手段を有することを特徴とする請求項１記載の画像形成装置。
【請求項４】
前記操作表示手段により前記リモートの画像出力装置の記憶装置に対する障害発生状態を表示された場合に、前記認識手段により認識された障害が復旧不可能な場合に、他のリモートの画像出力装置により前記画像データを代替処理させる第２の代替処理手段を有することを特徴とする請求項１記載の画像形成装置。
【請求項５】
前記第１の代替処理手段は、前記認識手段により認識された障害が復旧不可能な場合に、前記操作表示手段から第１の代替処理実行の選択指示がなされることを確認して、前記画像入力装置と前記画像出力装置とで代替処理させることを特徴とする請求項３記載の画像形成装置。
【請求項６】
前記第２の代替処理手段は、前記認識手段により認識された障害が復旧不可能な場合に、前記操作表示手段から第２の代替処理実行の選択指示がなされることを確認して、他のリモートの画像出力装置により前記画像データを代替処理させることを特徴とする請求項４記載の画像形成装置。
【請求項７】
前記リモートの画像出力装置の記憶装置に対する障害は、該記憶装置の記憶容量不足に起因する障害であることを特徴とする請求項１〜６のいずれかに記載の画像形成装置。
【請求項８】
前記リモートの画像出力装置の記憶装置に対する障害は、該記憶装置の書き込みエラーに起因する障害であることを特徴とする請求項１〜６のいずれかに記載の画像形成装置。
【請求項９】
画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置における画像出力制御方法であって、
前記リモートモード選択中に、リモートより通知される前記記憶装置に対する障害発生状態を認識する認識ステップと、
前記認識ステップにより認知される前記リモートの画像出力装置の記憶装置に対する障害発生状態を表示する操作表示ステップと、
を有することを特徴とする画像出力制御方法。
【請求項１０】
前記操作表示ステップにより前記リモートの画像出力装置の記憶装置に対する障害発生状態を表示された場合に、前記認識ステップにより認識された障害の内容に応じて障害の復旧を前記リモートの画像出力装置に指示する障害復旧指示ステップを有することを特徴とする請求項９記載の画像出力制御方法。
【請求項１１】
前記操作表示ステップにより前記リモートの画像出力装置の記憶装置に対する障害発生状態を表示された場合に、前記認識ステップにより認識された障害が復旧不可能な場合に、前記画像入力装置と前記画像出力装置とで代替処理させる第１の代替処理ステップを有することを特徴とする請求項９記載の画像出力制御方法。
【請求項１２】
前記操作表示ステップにより前記リモートの画像出力装置の記憶装置に対する障害発生状態を表示された場合に、前記認識ステップにより認識された障害が復旧不可能な場合に、他のリモートの画像出力装置により前記画像データを代替処理させる第２の代替処理ステップを有することを特徴とする請求項９記載の画像出力制御方法。
【請求項１３】
前記第１の代替処理ステップは、前記認識ステップにより認識された障害が復旧不可能な場合に、前記操作表示ステップから第１の代替処理実行の選択指示がなされることを確認して、前記画像入力装置と前記画像出力装置とで代替処理させることを特徴とする請求項１１記載の画像出力制御方法。
【請求項１４】
前記第２の代替処理ステップは、前記認識ステップにより認識された障害が復旧不可能な場合に、前記操作表示ステップから第２の代替処理実行の選択指示がなされることを確認して、他のリモートの画像出力装置により前記画像データを代替処理させることを特徴とする請求項１２記載の画像出力制御方法。
【請求項１５】
前記リモートの画像出力装置の記憶装置に対する障害は、該記憶装置の記憶容量不足に起因する障害であることを特徴とする請求項９〜１４のいずれかに記載の画像出力制御方法。
【請求項１６】
前記リモートの画像出力装置の記憶装置に対する障害は、該記憶装置の書き込みエラーに起因する障害であることを特徴とする請求項９〜１４のいずれかに記載の画像出力制御方法。
【請求項１７】
請求項９〜１６のいずれかに記載の画像出力制御方法を実現するプログラムを記憶したことを特徴とするコンピュータが読み取り可能な記憶媒体。
【請求項１８】
請求項９〜１６のいずれかに記載の画像出力制御方法を実現することを特徴とするプログラム。
【発明の詳細な説明】
【０００１】
【発明の属する技術分野】
本発明は、画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置および画像出力制御方法およびコンピュータが読み取り可能な記憶媒体およびプログラムに関するものである。
【０００２】
【従来の技術】
従来より、画像制御装置を介してネットワーク等の伝送媒体によって画像入力装置と複数の画像出力装置が接続された画像形成システムが提案されており、特に重連と呼ばれる単独の画像入力装置と複数の画像出力装置を伝送媒体によって接続することにより、単一の画像入力装置の入力画像を複数の画像出力装置で出力を行うことで生産性を高める画像形成システムが知られている。
【０００３】
【発明が解決しようとする課題】
しかしながら、従来の重連システムにおいて画像出力側の記憶媒体に障害が発生した場合に記憶媒体の障害の復旧処理が自動的に行われることがなく、処理は直ちに中断されていた。
【０００４】
例えば重連システムにおいて画像の入力を行うローカル側の機器において正常に出力が行われていても、画像の出力を行うリモート側の機器において記憶媒体に画像の格納ができない場合（例えばハードディスクの容量不足による書き込み不可能状態）やリモート側で記憶媒体に格納された画像データを出力する場合に画像データの読み出しができない場合（例えばハードディスクのディスク障害）には直ちに処理を中断しなくてはならず、またその後の処理もユーザに対して表示されていないのが現状である。
【０００５】
本発明は、上記の問題点を解決するためになされたもので、本発明の第１の目的は、画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置であって、リモートモード選択中に、リモートより通知される前記記憶装置に対する障害発生状態を認識し、認知されるリモートの画像出力装置の記憶装置に対する障害発生状態を表示することにより、リモートモード選択中におけるリモートの画像出力装置の記憶装置の障害発生有無を選択したユーザが確実に認知することできる画像形成装置および画像出力制御方法およびコンピュータが読み取り可能な記憶媒体およびプログラムを提供することである。
【０００６】
第２の目的は、第１の目的に加えて、リモートの画像出力装置の記憶装置に対する障害発生状態を表示された場合に、認識された障害の内容に応じて障害の復旧を前記リモートの画像出力装置に指示し、画像入力装置と前記画像出力装置とで代替処理させる第１の代替処理あるいは他のリモートの画像出力装置により前記画像データを代替処理させる第２の代替処理を実行させることにより、リモートモード選択中に、リモートより通知されるリモートの画像出力装置の記憶装置に対する障害状態が発生した場合でも、ユーザが意図する代替処理を確実に実行させて、認識された障害に起因してリモートモードによる画像処理が中断してしまう事態を速やかに回避して、代替処理を実行可能な状態に復旧できる利便性に優れた画像処理環境を整備することができる画像形成装置および画像出力制御方法およびコンピュータが読み取り可能な記憶媒体およびプログラムを提供することである。
【０００７】
【課題を解決するための手段】
本発明に係る第１の発明は、画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置であって、前記リモートモード選択中に、リモートより通知される前記記憶装置に対する障害発生状態を認識する認識手段（図１に示すコントローラユニット２０００に相当）と、前記認識手段により認知される前記リモートの画像出力装置の記憶装置に対する障害発生状態を表示する操作表示手段（図１に示す操作部２０１２に相当）とを有することを特徴とする。
【０００８】
本発明に係る第２の発明は、前記操作表示手段により前記リモートの画像出力装置の記憶装置に対する障害発生状態を表示された場合に、前記認識手段により認識された障害の内容に応じて障害の復旧を前記リモートの画像出力装置に指示する障害復旧指示手段（図１に示す操作部２０１２に相当）を有することを特徴とする。
【０００９】
本発明に係る第３の発明は、前記操作表示手段により前記リモートの画像出力装置の記憶装置に対する障害発生状態を表示された場合に、前記認識手段により認識された障害が復旧不可能な場合に、前記画像入力装置と前記画像出力装置とで代替処理させる第１の代替処理手段（図１に示すコントローラユニット２０００に相当）を有することを特徴とする。
【００１０】
本発明に係る第４の発明は、前記操作表示手段により前記リモートの画像出力装置の記憶装置に対する障害発生状態を表示された場合に、前記認識手段により認識された障害が復旧不可能な場合に、他のリモートの画像出力装置により前記画像データを代替処理させる第２の代替処理手段（図１に示すコントローラユニット２０００に相当）を有することを特徴とする。
【００１１】
本発明に係る第５の発明は、前記第１の代替処理手段は、前記認識手段により認識された障害が復旧不可能な場合に、前記操作表示手段から第１の代替処理実行の選択指示がなされることを確認して、前記画像入力装置と前記画像出力装置とで代替処理させることを特徴とする。
【００１２】
本発明に係る第６の発明は、前記第２の代替処理手段は、前記認識手段により認識された障害が復旧不可能な場合に、前記操作表示手段から第２の代替処理実行の選択指示がなされることを確認して、他のリモートの画像出力装置により前記画像データを代替処理させることを特徴とする。
【００１３】
本発明に係る第７の発明は、前記リモートの画像出力装置の記憶装置に対する障害は、該記憶装置の記憶容量不足に起因する障害であることを特徴とする。
【００１４】
本発明に係る第８の発明は、前記リモートの画像出力装置の記憶装置に対する障害は、該記憶装置の書き込みエラーに起因する障害であるであることを特徴とする。
【００１５】
本発明に係る第９の発明は、画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置における画像出力制御方法であって、前記リモートモード選択中に、リモートより通知される前記記憶装置に対する障害発生状態を認識する認識ステップと（図１１のステップ（３６０５），図１２の（３６１０），（３６１５），）、前記認識ステップにより認知される前記リモートの画像出力装置の記憶装置に対する障害発生状態を表示する操作表示ステップ（図１３に示すステップ（３７０６，３７０９））とを有することを特徴とする。
【００１６】
本発明に係る第１０の発明は、前記操作表示ステップにより前記リモートの画像出力装置の記憶装置に対する障害発生状態を表示された場合に、前記認識ステップにより認識された障害の内容に応じて障害の復旧を前記リモートの画像出力装置に指示する障害復旧指示ステップ（図１６に示すステップ（３９０１））を有することを特徴とする。
【００１７】
本発明に係る第１１の発明は、前記操作表示ステップにより前記リモートの画像出力装置の記憶装置に対する障害発生状態を表示された場合に、前記認識ステップにより認識された障害が復旧不可能な場合に、前記画像入力装置と前記画像出力装置とで代替処理させる第１の代替処理ステップ（図１４に示すステップ（３８０５）〜（３８１２），図１８に示すステップ（３９１０）〜（３９２２）））を有することを特徴とする。
【００１８】
本発明に係る第１２の発明は、前記操作表示ステップにより前記リモートの画像出力装置の記憶装置に対する障害発生状態を表示された場合に、前記認識ステップにより認識された障害が復旧不可能な場合に、他のリモートの画像出力装置により前記画像データを代替処理させる第２の代替処理ステップ（図１８に示す（３９１９）〜（３９２１））を有することを特徴とする。
【００１９】
本発明に係る第１３の発明は、前記第１の代替処理ステップは、前記認識ステップにより認識された障害が復旧不可能な場合に、前記操作表示ステップから第１の代替処理実行の選択指示がなされることを確認して、前記画像入力装置と前記画像出力装置とで代替処理させることを特徴とする。
【００２０】
本発明に係る第１４の発明は、前記第２の代替処理ステップは、前記認識ステップにより認識された障害が復旧不可能な場合に、前記操作表示ステップから第２の代替処理実行の選択指示がなされることを確認して、他のリモートの画像出力装置により前記画像データを代替処理させることを特徴とする。
【００２１】
本発明に係る第１５の発明は、前記リモートの画像出力装置の記憶装置に対する障害は、該記憶装置の記憶容量不足に起因する障害であるであることを特徴とする。
【００２２】
本発明に係る第１６の発明は、前記リモートの画像出力装置の記憶装置に対する障害は、該記憶装置の書き込みエラーに起因する障害であるであることを特徴とする。
【００２３】
本発明に係る第１７の発明は、第９〜第１６の発明のいずれかに記載の画像出力制御方法を実現するプログラムを記憶したコンピュータが読み取り可能な記憶媒体であることを特徴とする。
【００２４】
本発明に係る第１８の発明は、第９〜第１６の発明のいずれかに記載の画像出力制御方法を実現するプログラムであることを特徴とする。
【００２５】
【発明の実施の形態】
〔第１実施形態〕
以下、本発明にかかる第１実施形態について、図面を参照して詳細に説明する。
【００２６】
図１は、本発明の第１実施形態を示す画像形成装置を適用可能な画像形成システムの全体の構成を説明するブロック図である。
【００２７】
図１において、画像形成装置（ローカル機）２００は、画像入力装置であるスキャナ部（スキャナ）２０７０、画像出力デバイスであるプリンタ部（プリンタ）２０９５、Ｃｏｎｔｒｏｌｌｅｒ　Ｕｎｉｔ２０００、ユーザインタフェースである操作部２０１２から構成される。スキャナ２０７０、プリンタ２０９５、操作部２０１２は、それぞれＣｏｎｔｒｏｌｌｅｒ　Ｕｎｉｔ２０００に接続され、Ｃｏｎｔｒｏｌｌｅｒ　Ｕｎｉｔ２０００は、ＬＡＮ２０１１などのネットワーク伝送手段に接続されている。また、ＬＡＮ２０１１には、画像形成装置（リモート機）２００と同様の機器構成をもつ他の画像形成装置２２０、２３０がリモート１，２として接続されている。画像形成装置２２０、２３０は、それぞれスキャナ２２７０、２３７０、プリンタ２２９５、２３９５、操作部２２１２、２３１２を持ち、それらがＣｏｎｔｒｏｌｌｅｒ　Ｕｎｉｔ２２００、２３００に接続されている。
【００２８】
図２は、図１に示した画像形成装置のコントローラユニット２０００の構成を説明するブロック図である。
【００２９】
図２において、Ｃｏｎｔｒｏｌｌｅｒ　Ｕｎｉｔ２０００は、画像入力デバイスであるスキャナ２０７０や画像出力デバイスであるプリンタ２０９５と接続し、一方ではＬＡＮ２０１１や公衆回線（ＷＡＮ）２０５１に接続することで、画像情報やデバイス情報の入出力を行う。
【００３０】
ＣＰＵ２００１はシステム全体を制御するコントローラである。ＲＡＭ２００２は、ＣＰＵ２００１が動作するためのシステムワークメモリであり、画像データを一時記憶するための画像メモリでもある。
【００３１】
ＲＯＭ２００３はブートＲＯＭであり、システムのブートプログラムが格納されている。２００４はハードディスクドライブ（ＨＤＤ）で、システムソフトウェア、画像データを格納する。
【００３２】
操作部Ｉ／Ｆ２００６は、操作部（ＵＩ）２０１２とのインターフェース部で、操作部２０１２に表示する画像データを操作部２０１２に対して出力する。
【００３３】
また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。ＭＯＤＥＭ２０５０は公衆回線２０５１に接続し、情報の入出力を行う。
【００３４】
以上のデバイスがシステムバス２００７上に配置される。Ｉｍａｇｅ　ＢｕｓＩ／Ｆ２００５はシステムバス２００７と画像データを高速で転送する画像バス２００８を接続し、データ構造を変換するバスブリッジである。
【００３５】
画像バス２００８は、ＰＣＩバスまたはＩＥＥＥ１３９４で構成される。画像バス２００８上には以下のデバイスが配置される。ラスタイメージプロセッサ（ＲＩＰ）２０６０はＰＤＬコードをビットマップイメージに展開する。
【００３６】
デバイスＩ／Ｆ２０２０は、画像入出力デバイスであるスキャナ２０７０やプリンタ２０９５とコントローラユニット２０００を接続し、画像データの同期系／非同期系の変換を行う。スキャナ画像処理部２０８０は、入力画像データに対し補正、加工、編集を行う。
【００３７】
プリンタ画像処理部２０９０は、プリント出力画像データに対して、プリンタの補正、解像度変換等を行う。画像回転部２０３０は画像データの回転を行う。画像圧縮部２０４０は、多値画像データはＪＰＥＧ、２値画像データはＪＢＩＧ、ＭＭＲ、ＭＨの圧縮伸長処理を行う。
【００３８】
図３は、図２に示したスキャナ２０７０とプリンタ２０９５とが通信可能な画像入出力デバイス例を説明する図である。
【００３９】
図３において、画像入力デバイスであるスキャナ２０７０は、原稿となる紙上の画像を照明し、ＣＣＤラインセンサ（図示せず）を走査することで、ラスタイメージデータ２０７１として電気信号に変換する。原稿用紙は原稿フィーダ２０７２のトレイ２０７３にセットし、装置使用者が操作部２０１２から読み取り起動指示することにより、ＣＰＵ２００１がスキャナ２０７０に指示を与え、フィーダ２０７２は原稿用紙を１枚ずつフィードし原稿画像の読み取り動作を行う。
【００４０】
画像出力デバイスであるプリンタ２０９５は、ラスタイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２００１からの指示によって開始する。プリンタ２０９５には、異なる用紙サイズまたは異なる用紙向きを選択できるように複数の給紙段を持ち、それに対応した用紙カセット２１０１，２１０２，２１０３がある。また、排紙トレイ２１１１は印字し終わった用紙を受けるものである。
【００４１】
図４は、図３に示した画像入力デバイスが備える操作部２０１２の構成を説明する平面図である。
【００４２】
図４において、ＬＣＤ表示部２０１３は、ＬＣＤ上にタッチパネルシート（以下、タッチパネルという）２０１９が貼られており、システムの操作画面およびソフトキーを表示するとともに、表示してあるキーが押されるとその位置情報をＣＰＵ２００１に伝える。
【００４３】
スタートキー２０１４は原稿画像の読み取り動作を開始する時などに用いる。スタートキー２０１４の中央部には、緑と赤の２色ＬＥＤ２０１８があり、その色によってスタートキー２０１４が使える状態にあるかどうかを示す。ストップキー２０１５は稼働中の動作を止める働きをする。
【００４４】
ＩＤキー２０１６は、使用者のユーザＩＤを入力する時に用いる。リセットキー２０１７は操作部からの設定を初期化する時に用いる。
【００４５】
図５は、図２に示した操作部および操作部インタフェースの詳細構成を説明するブロック図であり、図２と同一のものには同一の符号を付してある。
【００４６】
図５において、２００１はＣＰＵで、ＲＯＭ２００３のプログラム用ＲＯＭに記憶された制御プログラム等に基づいてシステムバス２００７に接続される各種デバイスとのアクセスを総括的に制御し、画像入力部インタフェースを介して接続されるスキャナ２０７０から入力情報を読み込み、印刷部インタフェースを介して接続される印刷部２０９５に出力情報としての画像信号を出力する。
【００４７】
また、ＲＯＭ２００３のプログラムＲＯＭには、図９，図１０のフローチャートで示されるような制御プログラムが記憶されている。
【００４８】
ＲＡＭ２００２はＣＰＵ２００１の主メモリ、ワークエリア等として機能する。
【００４９】
なお、ＣＰＵ２００１は、タッチパネル２０１９、ハードキー２０１４〜２０１７から、ユーザ入力を受け取り、操作入力部Ｉ／Ｆ（入力ポート）２００６１を介して、操作内容を取得し、該取得した操作内容と前述の制御プログラムにもとづいて、ＣＰＵ２００１において表示画面データが生成され、画面出力デバイスを制御する出力デバイスコントローラ（出力ポート）２００６２を介して、ＬＣＤやＣＲＴなどの画面出力デバイスに表示画面を出力する。
【００５０】
次に本発明の実施形態について、ＬＣＤ表示部２０１３に表示される画面を用いて説明する。
【００５１】
図６は、図５に示したＬＣＤ表示部２０１３に表示される操作画面例を説明する図であり、本発明に係る画像形成装置における初期画面例に対応し、該初期画面は、各画像形成機能設定後に戻ってくる標準画面でもある。
【００５２】
図６において、３１０１は画像形成において変倍機能を用いず等倍出力を設定する為のソフトキーである。３１０２は変倍機能を設定する為のソフトキーである。３１０３は出力用紙サイズを設定する為のソフトキーである。
【００５３】
３１０４は画像出力デバイスを設定する為のソフトキーである。３１０６は両面出力を設定する為のソフトキーである。３１０７は出力用紙のソート設定を行う為のソフトキーである。
【００５４】
３１０９はその他の応用機能を設定する為のソフトキーである。３１１０は読み取り画像を複数の画像出力装置に同時出力する（カスケードコピーと呼ぶ）為の設定を簡便に行う為のソフトキーであり、これらの各ソフトキーは押下後にさらに詳細な設定の為の表示画面に切り替わる。本画像形成装置ではＬＡＮで接続された遠方の画像出力デバイスに出力する（リモートコピーと呼ぶ）ことや、カスケードコピーを行うことができるが、初期状態としては自機への画像出力（ローカルコピーと呼ぶ）を行う設定となっている。
【００５５】
また、ローカルコピーを行うか、リモートコピーを行うか、カスケードコピーを行うかの画像出力デバイス選択の設定状態が表示エリア３１０５に表示される。また、３１０８は画像出力濃度の設定を行う為のソフトキーである。
【００５６】
図７は、図５に示したＬＣＤ表示部２０１３に表示される操作画面例を説明する図であり、図６に示したソフトキー３１０４を押下した後に表示される設定画面であり、カスケードコピー出力先の設定を行う為のプリンタ選択用の設定画面である。
【００５７】
図７において、通常のコピー動作ではローカル側での出力になるため３２０３の部分が反転表示されている。この状態でカスケードコピーを設定するためには「重連コピー」のソフトキー３２０２を押す。
【００５８】
ソフトキー３２０２を押すことによりネットワークに接続された出力装置である３２０４にチェックマークがつく。このようにすることによりカスケードコピーを行うネットワーク上の出力装置を設定することが可能になる。選択されたネットワーク上の出力装置の情報は「詳細情報」のソフトキー３２０１を押すことで確認可能である。
【００５９】
図８は、図５に示したＬＣＤ表示部２０１３に表示される操作画面例を説明する図であり、ソフトキー３２０１を押したときに表示されるネットワーク上の出力装置の出力設定に関する詳細情報表示画面例である。
【００６０】
図８において、カスケードコピーを行うときはネットワークを介して用紙情報３３０１を取得して、カスケードコピーで使用される出力用紙の設定をおこなうことになる。
【００６１】
図９は、図５に示したＬＣＤ表示部２０１３に表示される操作画面例を説明する図であり、前述の図７でカスケードコピーの出力先の設定を行った後に、図６の用紙選択を行うソフトキー３１０３を押したときに表示される用紙選択画面例である。
【００６２】
図９において、ここで表示されている出力用紙サイズ３４０１は前述の用紙情報３３０１を取得し、画像入力を行う機器であるローカル側のプリンタ２０９５と選択したリモート側のプリンタ２２９５の出力可能な用紙サイズで共通のものが表示されている。
【００６３】
ユーザはこの出力用紙サイズ３４０１から出力する用紙を選択することで、カスケードコピーの用紙サイズを選択することができる。
【００６４】
図１０は、図５に示したＬＣＤ表示部２０１３に表示される操作画面例を説明する図であり、図７の表示画面でカスケードコピー設定を行った後の標準画面例である。
【００６５】
図１０において、３５０１のカスケードコピーが設定されていることを示すアイコンや、３５０１にカスケードコピーが設定されていることを示す文字列により、設定状態を示している。
【００６６】
図１１〜図１８は、本発明に係る画像形成装置における画像処理手順の一例を示すフローチャートであり、本実施形態である重連コピー動作の基本シーケンスを記述したものである。このフローチャートに記述される内容はＲＯＭ２００３のプログラムＲＯＭに制御プログラムとして格納される。また、重連コピーには図３のスキャナ２０７０で原稿をスキャンして画像データを作成しながら、図３のプリンタ２０９５でスキャナ２０７０において生成された画像データを出力するローカル機と、前記画像データを図１のネットワーク２０１１経由で受信し、出力するリモート機の最低二台の装置が必要である。本実施形態に示すフローチャートの説明においては、例えば図１に示したＬｏｃａｌ２００をローカル機、Ｒｅｍｏｔｅ２２０をリモート機として説明を行う。
【００６７】
なお、（３６０１）〜（３６２３），（３７０１）〜（３７１２），（３８０１）〜（３８２２），（３９０１）〜（３９２６）は各ステップを示す。
【００６８】
また、重連コピー動作を行うためには、図６で示したコピー基本画面の「出力デバイス選択」用のソフトキー３１０４を押下することで表示される図７に示した「プリンタ選択」用の画面上で、自機以外に出力したい機器を選択した後、重連コピーキー３２０２を押下する。これにより重連コピーとして選択した機器に図７に示したチェックボックス内にチェックマークが付与されて表示される。
【００６９】
なお、図７に示す例は、リモート機とローカル機でアイコンの形態が異なるため、ユーザが容易に選択した機器がリモート機とローカル機とであることが視認できるように構成されている。
【００７０】
ここで、図７に示す「閉じる」用のキーＫ１を押すことで、ＬＣＤ表示部２０１３の画面は、図１０に表示されたコピー基本画面に戻る。
【００７１】
この時、重連コピーを設定していることにより重連コピーのモードが設定されたことを示すマーク３５０１とモード３５０２が表示されることになる（３６０１）。
【００７２】
ここで、図４のスタートキー２０１４を押下することで重連コピーの動作を開始する。重連コピーのローカル側においては上記の重連コピーモードの設定後スタートキーを押すことで、スキャナ２０７０を駆動させて原稿のスキャンを行い画像データを作成する（３６０２）。作成された画像データは図２のＨＤＤ２００４に格納される。
【００７３】
また、ＨＤＤ２００４に格納された画像データは格納と同時にローカル機側のプリンタ２０９５より出力される（３６０３）。またそれと同時にＨＤＤ２００４に格納された画像データはリモート機側にネットワーク２０１１を介して転送され、リモート機側のコントローラ２２００に受信され、リモート機側のＨＤＤ２００４に格納された後、プリンタ２０９５で出力が行われる（３６０４）。
【００７４】
この時、リモート機側のコントローラ２２００においては、ＨＤＤ２００４に正常に格納が行われたかどうか、また出力に際して正常にＨＤＤ２００４から読み出しが行われたかどうか、などのチェックが行われる（３６０５）。
【００７５】
そして、このチェックによって正常に出力ができないとリモート機側が判断した場合には、リモート機２２０側のコントローラ２２００はネットワーク２０１１を介してローカル機２００側に対して正常に出力が実行できないことを通知する。この通知を受け取ったローカル機２００側はリモート機側で出力エラーが発生したとして、図１１の「１」で飛び先を指定している図１３に詳細を示すエラー処理に移る（３６０６）。
【００７６】
一方、ステップ（３６０５）で、リモート機側の出力が正常に行われたと判断した場合にはローカル機側でスキャナ２０７０でスキャンを行い、画像データを生成しなくてはならない原稿が原稿フィーダ２０７２またはトレイ２０７３に存在するかどうかのチェックを行い（３６０７）、読み取るべき原稿が存在すると判断した場合には、ステップ（３６０２）に戻り、原稿のスキャンを行う。
【００７７】
また、読み取るべき原稿が存在しないと判断した場合には、ローカル機２００側のＨＤＤ２００４とリモート機２２０のＨＤＤ２００４に格納された画像の出力を行うことになる。
【００７８】
そこで、ローカル機２００側での原稿読み取りが終了している場合には、ローカル機側でのＨＤＤ２００４からの画像データの出力を実行するとともに（３６０８）、リモート側でのＨＤＤ２００４からの画像データの出力を実行する（３６０９）。
【００７９】
この時、リモート機側のコントローラユニット２２００においては、ＨＤＤ２００４に正常に格納が行われたかどうか、また出力に際して正常にＨＤＤ２００４から読み出しが行われたかどうか、などのチェックがステップ（３６０５）と同様に行われる（３６１０）。このチェックでリモート機側２２０のＨＤＤ２００４からの出力が正常に行われていないと判断した場合には、詳細を図１３に示すエラー処理としてステップ（３６１１）以降の処理を実行する。
【００８０】
一方、ステップ（３６１０）で、リモート機２２０側での出力が正常に行われていると判断した場合には、ローカル機２００側の出力が正常に終了したかどうかの判定が行われる（３６１２）。
【００８１】
ここで、ローカル機２００側の出力が終了していると判断した場合には、リモート機側の画像出力を再度行う（３６１４）。また、ローカル機２００側の出力が終了していない場合、リモート機２２０側の出力が終了しているかどうかを判定する（３６１３）。ここで、リモート機２２０側の出力が終了していると判断した場合にはローカル機２００側のＨＤＤ２００４に読み込んである画像データの出力が終了するまで、ローカル機２００側での出力処理を繰り返す（３６１８、３６１９）。
【００８２】
一方、ステップ（３６１２）における前述のローカル機側での出力判定において、リモート機２２０側の出力処理を行うと判定した場合には、リモート機側のコントローラユニット２２００に受信され、リモート機側のＨＤＤ２００４に格納された後、プリンタ２０９５で画像出力が行われる（３６１４）。次に、リモート機２２０側のＨＤＤ２００４に正常に格納が行われたかどうか、また出力に際して正常にＨＤＤ２００４から読み出しが行われたかどうかのチェックが行われる（３６１５）。
【００８３】
具体的には、そのチェックに際してリモート機２２０側において何らかの障害が発生していて、リモート機２２０側のＨＤＤ２００４からの出力が正常に行われていない場合にはエラー処理として、ステップ（３６１６）以降の処理が実行される。
【００８４】
一方、ステップ（３６１５）で、読み出しが行われた場合は、リモート機２２０側の出力が終了しているかどうかを判定する（３６１７）。ここで、リモート機２２０側の出力が終了していると判断した場合には、処理を終了し、それ以降は、ステップ（３６１４）へ戻る。
【００８５】
次に前述のローカル機２００側とリモート機２２０側での重連コピー動作時のリモート機側の出力状態判定ステップ（３６０５）、ステップ（３６１０）、ステップ（３６１５）において、エラーが発生した場合のエラー処理であるステップ（３６０６）、ステップ（３６１１）、ステップ（３６１６）の概要に関して以下、図１３を用いて説明する。
【００８６】
リモート機２２０側でのエラーの発生を検知したローカル機２００側では、まず、リモート機２２０側に対して現在出力動作を行っている出力の停止を要求する（３７０４）。
【００８７】
次に、ネットワーク２０１１経由で通知されたリモート機２２０側のエラー情報を取得してローカル機２００のＨＤＤ２００４のエラーログ情報に登録する（３７０５）。その後、前述のエラー情報の内容を判定してリモート機２２０側のエラー情報に応じた処理をローカル機２００側から要求する。
【００８８】
そこで、ローカル機２００のＨＤＤ２００４に登録されたリモート機２２０に対するエラー情報がディスク容量オーバによるものか、すなわちリモート機側２２０のネットワーク２０１１を介してのローカル機２００側で読み込んだ画像データを蓄積できない旨のものであったか否かを判断して（３７０６）、蓄積できない旨のものであったと判断した場合には、ディスク容量オーバと判定し、図１３に示すステップ（３７１０）以降のエラー処理を行う。
【００８９】
一方、ステップ（３７０６）で、蓄積できない旨のものではないと判断場合には、リモート機２２０側のエラー情報がリモート機２２０側のＨＤＤ２００４の書き込みエラーまたはＨＤＤ２００４からの読み込みエラーであった場合にはディスクエラーが発生したかどうかを判断して（３７０７）、ディスクエラーが発生したと判断した場合には、図１６に示すステップ（３７１１）以降のエラー処理を行う。
【００９０】
一方、ステップ（３７０６），（３７０７）でともにＮＯと判定された場合、すなわち、ステップ（３７０６），（３７０７）におけるエラーに該当しない場合には、リモート機２２０側において致命的なエラーが発生したとして、ローカル機２００側の出力処理を中断し（３７０８）、ローカル機２００側のタッチパネル２０１９にエラーが発生したことにより出力が中断された旨のメッセージを表示して（３７０９）、重連コピーの処理を終了する。
【００９１】
次に、図１３に示したステップ（３７１０）以降に実行されるリモート機２２０側のディスク容量オーバによる処理中断に対する処理の詳細を図１４で説明する。
【００９２】
〔ディスク容量オーバによる中断処理〕
ディスク容量オーバになった場合にローカル機２００側ではタッチパネル２０１９にユーザに処理の継続を選択させる旨の画面を表示する（３８０１）。表示される内容としては「処理中断」，「ローカル機側で出力」，「他のリモート機を選択」の３つとする。
【００９３】
この表示画面においてユーザが「処理中断」を選択したかどうかを判断して（３８０２）、ユーザが「処理中断」を選択したと判断した場合には、ローカル機２００側の出力処理を中断し（３８２０）、タッチパネル２０１９上に出力を中断した旨のメッセージを表示して（３８２１）、重連コピーの処理を中断して、本処理を終了する（３８２２）。
【００９４】
一方、ステップ（３８０２）で、ユーザが「処理中断」を選択していないと判断した場合は、更に、ユーザが「ローカル機側で出力」を選択したかどうかを判断して（３８０３）、ユーザが「ローカル機側で出力」を選択したと判断した場合には、リモート機２２０側で出力すべき画像の残数を計算し（３８０５）、ローカル機２００側での出力画像枚数にリモート機２２０側で出力すべき画像の総数を足したものを再設定する（３８０６）。
【００９５】
その後、ローカル機２００側で読み込みを行う必要のある原稿があるかどうかを判定して（３８０７）、原稿を読み込む必要がある場合にはローカル機側で原稿画像の読み取りを行い（３８０８）、ローカル機２００側での画像入力が終了したと判定されるまで（３８０９）、ローカル機２００側での画像出力を行い（３８１０）、ステップ（３８０７）へ戻る。
【００９６】
一方、ステップ（３８０７）で、ローカル機２００側で読み込む原稿が残っていない場合には、あるいはステップ（３８０９）で、ローカル機２００側での画像入力が終了したと判定した場合には、ローカル機２００側でＨＤＤ２００４に蓄積されている画像データの出力のみを行うことになるため、ローカル機２００側での出力を開始し（３８１１）、ローカル機２００側での出力すべき画像がなくなったと判定されるまで（３８１２）、ステップ（３８１１）を繰り返す。
【００９７】
一方、ステップ（３８０３）で、ユーザが「ローカル機側で出力」を選択していないと判断した場合には、ユーザが「他のリモート機を選択」を選択しているかどうかを判断して（３８０４）、「他のリモート機を選択」を選択していないと判断した場合には、ステップ（３８０１）に戻る。
【００９８】
一方、ステップ（３８０４）で、タッチパネル２０１９上に図７に示した「プリンタ選択」を表示して他のリモート機側の選択を行わせる（３８１３）。その後、リモート機側に対しての出力画像の残数を計算して（３８１４）、画像データ出力を要求して（３８１５）、ステップ（３８１６），（３８１７），（３８１８）以降の処理、すなわち、図１１に示すステップ（３６０２），図１２に示す（３６２２），（３６１４）以降の処理を実行する。
【００９９】
なお、要求する画像データはローカル機２００側のＨＤＤ２００４に格納されている画像データを再送することで行われる。
【０１００】
次に、リモート機２２０側のＨＤＤ２００４のディスクエラーによる処理中断に対するステップ（３７１１）以降の処理の詳細を図１６，図１７，図１８に示すフローチャートを参照して説明する。
【０１０１】
〔ディスクエラーによる中断処理〕
一方、リモート機２２０側において、ＨＤＤ２００４のディスクエラーが検知され、ローカル機２００側にディスクエラーが通知された場合には、ローカル機２００側はリモート機２２０側に対してＨＤＤ２００４の修復要求を発行する（３９０１）。
【０１０２】
そして、リモート機２２０側はこのディスクの修復要求によりＨＤＤ２００４の修復を実行する。ローカル機２００側はリモート機２２０側のディスク修復が終了した旨の通知を待つ（３９０２）。
【０１０３】
そして、リモート機２２０側はリモート機２２０側のＨＤＤ２００４のディスクの修復が完了した時点で、ローカル機２００側に修復が終了した旨のメッセージをネットワーク２０１１を介して通知する。
【０１０４】
そして、メッセージを受け取ったローカル機２００側はリモート機側２２０でディスクの修復が正常に終了したかどうかの判定（出力可否の判定）を行い（３９０３）、ディスクの修復が正常に実行されたと判断した場合には、ローカル機２００側はリモート機側の出力画像の残数を計算し（３９０４）、リモート機２２０側に対して再度出力要求を行う（３９０５）。
【０１０５】
そして、リモート機２２０の出力状態を判定して（３９０６）、図１１に示すステップ（３６０２），図１２に示す（３６２２），（３６１４）以降の処理を実行する。
【０１０６】
一方、ステップ（３９０３）で、リモート機２２０側でディスク修復が正常に行われなかったと判断した場合には、タッチパネル２０１９にユーザに処理の選択をさせる旨の画面を表示する（３９０７）。
【０１０７】
この際、表示される内容としては「処理中断」，「ローカル機側で出力」，「他のリモート機を選択」の３通りとする。
【０１０８】
ここで、ユーザが「処理中断」を選択したかどうかを判断して（３９０８）、ユーザが「処理中断」を選択したと判断した場合は、ローカル機２００側の出力処理を中断し（３９２４）、操作部画面２０１９上に出力を中断した旨のメッセージを表示して（３９２５）、重連コピーの処理を中断して、本処理を終了する（３９２６）。
【０１０９】
一方、ステップ（３９０８）で、「処理中断」を選択していないと判断した場合は、ユーザが「ローカル機側で出力」を選択したか否かを判断して（３９０９）、「ローカル機側で出力」を選択したと判断した場合には、リモート機２２０側で出力すべき画像の残数を計算し（３９１１）、ローカル機２００側での出力画像枚数にリモート機側で出力すべき画像の総数を足したものを再設定する（３９１２）。
【０１１０】
その後、ローカル機２００側で読み込みを行う必要のある原稿があるかどうかを判定して（３９１３）、原稿を読み込む必要がある場合にはローカル機側で原稿画像の読み取りを行う（３９１４）。次いで、ローカル機側での原稿画像入力が終了したかどうかを判断して（３９１５）、原稿画像入力が終了したと判断されるまで、ローカル機側での画像出力を行い（３９１６）、ステップ（３９１３）へ戻る。
【０１１１】
一方、ステップ（３９１３）で、ローカル機２００側で読み込む原稿が残っていないと判断された場合、あるいはステップ（３９１５）でローカル機側での原稿画像入力が終了したと判断された場合には、ローカル機２００側でＨＤＤ２００４に蓄積されている画像データの出力のみを行うことになるため、ローカル機２００側での出力を行い（３９１７）、ローカル機２００側での出力すべき画像がなくなったと判定されるまで（３９１８）、ステップ（３９１７）を繰り返し、ローカル機２００側での出力すべき画像がなくなった場合には、本処理を終了する（３９２３）。
【０１１２】
一方、ステップ（３９０９）で、「ローカル機側で出力」を選択していないと判断した場合には、ユーザが「他のリモート機を選択」を選択しているかどうかを判断して（３９１０）、ユーザが「他のリモート機を選択」を選択していないと判断した場合には、ステップ（３９０７）へ戻り、ユーザが「他のリモート機を選択」を選択していると判断した場合には、タッチパネル２０１９上に図７に示した「プリンタ選択」を表示して他のリモート機側の選択を行わせる（３９１９）。
【０１１３】
その後、リモート機側に対しての出力画像の残数を計算して（３９２０）、画像データ出力を要求する（３９２１）。
【０１１４】
なお、要求する画像データはローカル機２００側のＨＤＤ２００４に格納されている画像データを再送することで行われる。
【０１１５】
次いで、リモート機２２０の出力状態を判定して（３９２２）、図１１，図１２に示すステップ（３６０２），（３６２２），（３６１４）以降の処理を実行する。
【０１１６】
〔第２実施形態〕
上記第１実施形態において、ローカル機２００側において、読み込んだ画像データを出力せず、リモート機２２０側においてのみ出力を行うリモートコピー機能にも、図１７，図１８のディスク障害が発生した場合のシーケンスを適用するように制御してもよい。
【０１１７】
上記各実施形態によれば、ネットワーク接続された画像出力装置側の障害を画像データを送信する側の画像入出力装置側が認識する認識手段を設け、画像出力装置側の障害の内容によって復旧処理をおこなってから再度画像出力の処理を実行させることや、復旧処理をおこなった結果、画像出力装置が出力できない場合にネットワークに接続された代替となる画像出力装置を選択させるか、画像入出力装置側で出力を行うかをユーザが選択することが可能な代替処理をそなえることにより、可能な限りシステムダウンの時間を短縮し、さらにシステムダウンが発生した場合にユーザに代替処理を明示して処理を続行できるようにする。
【０１１８】
本発明は上記実施形態に限定されるものではなく、本発明の趣旨に基づき種々の変形が可能であり、それらを本発明の範囲から排除するものではない。
【０１１９】
以下、図１９に示すメモリマップを参照して本発明に係る画像形成装置で読み出し可能なデータ処理プログラムの構成について説明する。
【０１２０】
図１９は、本発明に係る画像形成装置で読み出し可能な各種データ処理プログラムを格納する記憶媒体のメモリマップを説明する図である。
【０１２１】
記憶媒体のメモリマップは管理領域とデータ領域に分かれており、管理領域には記憶されるデータ群を管理する情報、例えばバージョン情報，作成者等がボリューム情報に記憶され、またデータ群をファイルとして管理するためのファイルロケーション情報をもつ。データ領域にはファイル化されたプログラム読み出し側のＯＳ等に依存する情報、例えばプログラムを識別表示するアイコン、画面出力用のビットマップデータ等が記憶される。
【０１２２】
さらに、各種プログラムに従属するデータも上記データ領域に記憶されている。また、各種プログラムをコンピュータにインストールするためのプログラムや、インストールするプログラムが圧縮されている場合に、解凍するプログラム等もデータ領域に記憶される場合もある。
【０１２３】
本実施形態における図１１〜図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２４】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２５】
この場合、記憶媒体から読み出されたプログラムコード自体が本発明の新規な機能を実現することになり、そのプログラムコードを記憶した記憶媒体は本発明を構成することになる。
【０１２６】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１２７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２９】
【発明の効果】
以上説明したように、本発明によれば、画像入力装置と画像出力装置とを備えて、該画像入力装置から入力された画像データを前記画像出力装置、または通信可能なリモートの画像出力装置の記憶装置に転送して、前記リモートの画像出力装置と前記画像出力装置とで並列的に同一画像データを重連出力するリモートモードを選択可能な画像形成装置であって、リモートモード選択中に、リモートより通知される前記記憶装置に対する障害発生状態を認識し、認知されるリモートの画像出力装置の記憶装置に対する障害発生状態を表示するので、リモートモード選択中におけるリモートの画像出力装置の記憶装置の障害発生有無を選択したユーザが確実に認知することできる。
【０１３０】
また、リモートの画像出力装置の記憶装置に対する障害発生状態を表示された場合に、認識された障害の内容に応じて障害の復旧を前記リモートの画像出力装置に指示し、画像入力装置と前記画像出力装置とで代替処理させる第１の代替処理あるいは他のリモートの画像出力装置により前記画像データを代替処理させる第２の代替処理を実行させるので、リモートモード選択中に、リモートより通知されるリモートの画像出力装置の記憶装置に対する障害状態が発生した場合でも、ユーザが意図する代替処理を確実に実行させて、認識された障害に起因してリモートモードによる画像処理が中断してしまう事態を速やかに回避して、代替処理を実行可能な状態に復旧できる利便性に優れた画像処理環境を整備することができる等の効果を奏する。
【図面の簡単な説明】
【図１】本発明の第１実施形態を示す画像形成装置を適用可能な画像形成システムの全体の構成を説明するブロック図である。
【図２】図１に示した画像形成装置のコントロールユニットの構成を説明するブロック図である。
【図３】図２に示したスキャナとプリンタとが通信可能な画像入出力デバイス例を説明する図である。
【図４】図３に示した画像入力デバイスが備える操作部の構成を説明する平面図である。
【図５】図２に示した操作部および操作部インタフェースの詳細構成を説明するブロック図である。
【図６】図５に示したＬＣＤ表示部に表示される操作画面例を説明する図である。
【図７】図５に示したＬＣＤ表示部に表示される操作画面例を説明する図である。
【図８】図５に示したＬＣＤ表示部に表示される操作画面例を説明する図である。
【図９】図５に示したＬＣＤ表示部に表示される操作画面例を説明する図である。
【図１０】図５に示したＬＣＤ表示部に表示される操作画面例を説明する図である。
【図１１】本発明に係る画像形成装置における画像処理手順の一例を示すフローチャートである。
【図１２】本発明に係る画像形成装置における画像処理手順の一例を示すフローチャートである。
【図１３】本発明に係る画像形成装置における画像処理手順の一例を示すフローチャートである。
【図１４】本発明に係る画像形成装置における画像処理手順の一例を示すフローチャートである。
【図１５】本発明に係る画像形成装置における画像処理手順の一例を示すフローチャートである。
【図１６】本発明に係る画像形成装置における画像処理手順の一例を示すフローチャートである。
【図１７】本発明に係る画像形成装置における画像処理手順の一例を示すフローチャートである。
【図１８】本発明に係る画像形成装置における画像処理手順の一例を示すフローチャートである。
【図１９】本発明に係る画像形成装置で読み出し可能な各種データ処理プログラムを格納する記憶媒体のメモリマップを説明する図である。
【符号の説明】
２００　ローカル機
２２０，２３０　リモート機
２０００，２２００，２３００　Ｃｏｎｔｒｏｌｌｅｒ　Ｕｎｉｔ
２０１２，２２１２，２３１２　操作部
２０７０，２２７０，２３７０　スキャナ部
２０９５，２２９５，２３９５　プリンタ部
２０１１　ＬＡＮ
【図１】
2004056445.tif 000003
【図２】
2004056445.tif 000004
【図３】
2004056445.tif 000005
【図４】
2004056445.tif 000006
【図５】
2004056445.tif 000007
【図６】
2004056445.tif 000008
【図７】
2004056445.tif 000009
【図８】
2004056445.tif 000010
【図９】
2004056445.tif 000011
【図１０】
2004056445.tif 000012
【図１１】
2004056445.tif 000013
【図１２】
2004056445.tif 000014
【図１３】
2004056445.tif 000015
【図１４】
2004056445.tif 000016
【図１５】
2004056445.tif 000017
【図１６】
2004056445.tif 000018
【図１７】
2004056445.tif 000019
【図１８】
2004056445.tif 000020
【図１９】
2004056445.tif 000021